(57)【要約】【課題】有効利用に十分なスペース拡大を隣室にもたらすことができる浴室ユニットを提供する。【解決手段】浴室の出入口に設けられたドア枠と、ドア枠に隣接して設けられ、一方の面が浴室の内部に臨む浴室壁パネルと、浴室壁パネルの他方の面と浴室の隣室との間に設けられた間仕切り壁と、を備え、間仕切り壁は、枠部材と枠部材に支持されたパネル体とを有し、ドア枠における隣室側の端縁から、枠部材の厚さよりも浴室壁パネル側に離間して位置する。【選択図】図１
2008127924.tif 000002
【特許請求の範囲】
【請求項１】
浴室の出入口に設けられたドア枠と、
前記ドア枠に隣接して設けられ、一方の面が前記浴室の内部に臨む浴室壁パネルと、
前記浴室壁パネルの他方の面と前記浴室の隣室との間に設けられた間仕切り壁と、
を備え、
前記間仕切り壁は、枠部材と前記枠部材に支持されたパネル体とを有し、前記ドア枠における前記隣室側の端縁から、前記枠部材の厚さよりも前記浴室壁パネル側に離間して位置することを特徴とする浴室ユニット。
【請求項２】
前記間仕切り壁において、前記ドア枠側の側端部から前記ドア枠に対して反対側の側端部にかけての部分が、前記ドア枠の前記端縁から、前記枠部材の厚さよりも前記浴室壁パネル側に離間して位置することを特徴とする請求項１記載の浴室ユニット。
【請求項３】
前記間仕切り壁の下端は、前記隣室の床面と略同じ高さに位置することを特徴とする請求項１または２に記載の浴室ユニット。
【請求項４】
前記枠部材は、前記パネル体の三辺以上の縁部を囲むことを特徴とする請求項１記載の浴室ユニット。
【請求項５】
前記間仕切り壁は、前記枠部材と前記隣室の建築壁との間に介在されたフィラー部材をさらに有することを特徴とする請求項１または４に記載の浴室ユニット。
【発明の詳細な説明】
【技術分野】
【０００１】
本発明は、浴室ユニットに関し、詳しくは、浴室とこの隣室との間に設けられた間仕切り壁を備えた浴室ユニットに関する。
【背景技術】
【０００２】
従来、浴室ユニットとこの隣室(例えば洗面室)との間に設けられる間仕切り壁の構造としては、両者の境界に設けられた建築物である間柱にボードを貼る構造が多く採用されている。しかし、この構造では、間柱があるために間仕切り壁構造部が厚くなり、その分、洗面室が狭くなっていた。
【０００３】
特許文献１には、ユニットバスと洗面室との間に間柱を設けずに、ユニットバスの縦方向の支柱間に横方向の補強部材を取り付け、この補強部材に間仕切り部材を取り付けたユニットバスと隣室との境界部構造が開示されている。
【０００４】
特許文献１によれば、ドア枠ピースの外周に間仕切り部材の側端部が重ねられて固定され、ドア枠ピースの一面とドア枠の前端縁とが面一になっているので、間仕切り部材の表面はドア枠ピースの厚み分だけドア枠の前端縁よりも内側(ユニットバス側)に位置し、若干ではあるが有効スペースが拡大するとある。しかし、アングル状の金具であるドア枠ピースの厚み分だけ間仕切り部材の表面がドア枠の前端縁よりもユニットバス側に引っ込んだだけでは、それにより広がるスペースはわずかであり、そのスペース拡大を実際に有効利用するには不十分であった。
【特許文献１】特開２００１−２７９９４２号公報
【発明の開示】
【発明が解決しようとする課題】
【０００５】
本発明は、有効利用に十分なスペース拡大を隣室にもたらすことができる浴室ユニットを提供する。
【課題を解決するための手段】
【０００６】
本発明の一態様によれば、浴室の出入口に設けられたドア枠と、前記ドア枠に隣接して設けられ、一方の面が前記浴室の内部に臨む浴室壁パネルと、前記浴室壁パネルの他方の面と前記浴室の隣室との間に設けられた間仕切り壁と、を備え、前記間仕切り壁は、枠部材と前記枠部材に支持されたパネル体とを有し、前記ドア枠における前記隣室側の端縁から、前記枠部材の厚さよりも前記浴室壁パネル側に離間して位置することを特徴とする浴室ユニットが提供される。
【発明の効果】
【０００７】
本発明によれば、有効利用に十分なスペース拡大を隣室にもたらすことができる浴室ユニットが提供される。
【発明を実施するための最良の形態】
【０００８】
以下、図面を参照し、本発明の実施形態について説明する。
【０００９】
図１は、本発明の実施形態に係る浴室ユニット１およびこの浴室ユニット１の隣室である例えば脱衣室を兼ねた洗面室２の配置を表す模式平面図である。
【００１０】
浴室ユニット１及び洗面室２が配置される空間は、複数の柱３及びこれら柱３に固定された建築壁によって画設されている。
【００１１】
浴室ユニット１は、主として、浴槽４、洗い場（床）５、これらを囲んで浴室を画設する浴室壁パネル、浴室の出入口６に設けられるドア７、ドア７の周囲に設けられるドア枠８などを備える。さらに、本実施形態では、後述するように、洗面室２と浴室ユニット１との間を仕切る間仕切り壁２０も、浴室ユニット１の一部として備える。この間仕切り壁２０は、建築物の壁として浴室ユニット１とは別に仕上げられるのではなく、浴室ユニット１組み立て時に一緒に浴室ユニット１の一部として組み付けられる。
【００１２】
間仕切り壁２０は、浴槽４側に配置され、洗面室２において間仕切り壁２０の隣には、例えば洗面台１３が設けられ、その洗面台１３の横に洗濯機置き場１４が設けられている。
【００１３】
洗い場５と洗面室２との境界には、四角い枠状のドア枠８（図１には、出入口６の左右に立設されたドア枠９ａ、９ｂを図示）が設けられ、このドア枠８の内側に浴室の出入口６及びこの出入口６を開閉するドア７が設けられている。
【００１４】
縦方向に立設された一対のドア枠９ａ、９ｂのうち浴槽４側に立設されたドア枠９ａには、浴槽４における洗面室２側の短辺リム部の後方に立設された浴室壁パネル１１の側端部が接合している。この浴室壁パネル１１において、浴室の内部に臨む面の反対面側に、間仕切り壁２０が配置されている。間仕切り壁２０の一方の側端部は、浴室壁パネル１１と同様、ドア枠９ａに隣接し、間仕切り壁２０の他方の側端部は、洗面室２において洗面台１３の背後に設けられた柱３あるいは建築壁１５に当接している。
【００１５】
間仕切り壁２０は、パネル体と、このパネル体の四辺の縁部を囲んでパネル体を支持する枠部材とを有する。間仕切り壁２０は、ドア枠８における洗面室２側の端縁から、枠部材の厚さよりも浴室壁パネル１１側に離間して位置している。間仕切り壁２０における洗面室２側に臨む（面する）面は、ドア枠９ａに隣接する一方の側端部から、建築壁１５に当接する他方の側端部にかけて略面一であり、その面はすべて、ドア枠８における洗面室２側の端縁から、枠部材の厚さよりも浴室壁パネル１１側に離間して位置している。
【００１６】
図２は、出入口６と間仕切り壁２０との間に立設されたドア枠９ａに対する浴室壁パネル１１及び間仕切り壁２０の一方の側端部の取り付け構造を表す模式斜視図である。  
図３は、建築壁１５に対する間仕切り壁２０の他方の側端部の当接構造を表す模式斜視図である。  
図４は、間仕切り壁２０の上端部の支持構造を表す模式斜視図である。  
図５は、間仕切り壁２０の下端部の支持構造を表す模式斜視図である。
【００１７】
間仕切り壁２０は、パネル体２１と、このパネル体２１の四辺の縁部を囲んでパネル体２１を支持する枠部材４１、４２、４３、４４、２２、２３とを有する。パネル体２１は、例えば、石膏ボードを貼り付けた鋼板、または合板などから構成される。枠部材４１、４２、４３、４４、２２、２３は、例えばアルミニウムなどの金属材料からなる。
【００１８】
出入口６と間仕切り壁２０との間に立設されたドア枠９ａは、図２に表すように、縦枠３１と、方立てカバー３５と、これらを結合する結合部材３９とを有する。
【００１９】
縦枠３１は、出入口６に面する主板部３２と、この主板部３２における浴室側の端部に一体に設けられフック状に屈曲加工された屈曲部３３とを有する。その屈曲部３３の先端と、浴室壁パネル１１の一方の側端部とが、洗い場床の縁部に立設されたジョイナー(支柱)３８に嵌合している。
【００２０】
方立てカバー３５は、縦枠３１の主板部３２から間仕切り壁２０側に離間し、その主板部３２に対して略平行に向き合う間仕切り壁取付部３６と、この間仕切り壁取付部３６に対して略直角に一体に設けられたカバー部３７とを有する。
【００２１】
カバー部３７は、縦枠３１の主板部３２に対して略直角に設けられ、洗面室に面している。カバー部３７の一端側は屈曲されて、縦枠３１の主板部３２における洗面室側の端部に向き合い、その端部に対して例えばネジ止め固定されている。
【００２２】
間仕切り壁取付部３６は、ジョイナー３８の裏側(浴室から見た裏側)に配置された結合部材３９を介して、ジョイナー３８に対して固定されている。間仕切り壁取付部３６には、一対の押し縁４１、４２が取り付けられ、これら一対の押し縁４１、４２の先端部の間に、パネル体２１の一方の側端部２１ａが狭圧保持されている。浴室側に位置する押し縁４１が間仕切り壁取付部３６に取り付けられた後、その押し縁４１の先端部に、パネル体２１の浴室側の面の側縁部を当接させた上で、洗面室側の押し縁４２を、浴室側の押し縁４１に対して係合させる。両押し縁４１、４２は、互いの弾性片４１ａ、４２ａどうしの係合により組み付けられ、パネル体２１におけるドア枠９ａ側の側端部２１ａを覆い隠す。
【００２３】
同様に、パネル体２１の他方の側端部２１ｂも、図３に表すように、一対の押し縁４３、４４の先端部の間に狭圧保持されている。浴室側に位置する押し縁４３が取付部材４７に取り付けられた後、その押し縁４３の先端部に、パネル体２１の浴室側の面の側縁部を当接させた上で、洗面室側の押し縁４４を、浴室側の押し縁４３に対して係合させる。両押し縁４３、４４は、互いの弾性片４３ａ、４４ａどうしの係合により組み付けられ、パネル体２１における建築壁１５側の側端部２１ｂを覆い隠す。
【００２４】
取付部材４７は、浴室のコーナーに設けられたコーナージョイナー４８に対して固定されている。コーナージョイナー４８は、浴室壁パネル１１と、図１における洗い場５から見て浴槽４の奥側の長辺リム部の背後に設けられた浴室壁パネル１２との境界に立設されている。浴室壁パネル１１及び浴室壁パネル１２においてコーナージョイナー４８側に位置するそれぞれの側端部は、コーナージョイナー４８に嵌合している。
【００２５】
取付部材４７と、洗面室の建築柱３との間には、例えば樹脂材料からなるフィラー部材２５が介在されている。フィラー部材２５は、その建築柱３側の先端が建築柱３に対して当接するように、施工現場にて、取付部材４７と建築柱３との間の隙間に応じた適切な幅にカットされた上で、取付部材４７と建築柱３との間に介在される。その後、洗面室建築工事によって、建築壁１５がフィラー部材２５に当接するように建築柱３に固定される。
【００２６】
方立てカバー３５側の押し縁４２、パネル体２１、建築壁１５側の押し縁４４およびフィラー部材２５における、洗面室側に臨む(面する)面は略面一であり、それら面は、ドア枠の一部を構成する方立てカバー３５のカバー部３７表面よりも浴室側に位置している。
【００２７】
前述した押し縁４１、４２及び押し縁４３、４４は、パネル体２１の四辺の縁部を囲んでパネル体２１を支持する枠部材のうちの左右の縦枠を構成する。
【００２８】
その枠部材の上枠２２は、図４に表すように、取付部５１において、洗面室２における相対向する建築壁間にかけわたされた上額縁５０に固定されている。そして、パネル体２１の上端部は、上枠２２の内部に挿入支持されている。
【００２９】
枠部材の下枠２３は、図５に表すように、取付部６１において、洗面室２の床６０に対して固定されている。そして、パネル体２１の下端部は、下枠２３の内部に挿入支持されている。
【００３０】
ここで、図９は、第１の比較例における浴室と洗面室との間の間仕切り壁構造を表す模式平面図である。
【００３１】
この第１の比較例では、浴室壁パネル１１と洗面室２との間に、建築物である間柱１０２が設けられ、その間柱１０２にボード１０１を貼ることによって間仕切り壁１００が構成されている。
【００３２】
例えば、３／４坪の洗面室において、長辺側に間仕切り壁１００を設けた場合、柱３の太さを１２０（ｍｍ）、ボード１０１の厚さを１２．５（ｍｍ）とすると、短辺側の長さ(間仕切り壁１００と、これに対向する洗面室の建築壁１０５との間の距離)は、１２２０(ｍｍ)となる。なおこの場合、浴室ユニットと建築躯体との位置関係によって多少変わるが、浴室壁パネル１１表面とボード１０１表面との距離は１５０（ｍｍ）程度である。その洗面室における短辺側に沿って、洗濯機１４と洗面台１３とを並べて配置する場合、洗濯機の幅が６００（ｍｍ）とすると、その横に置く洗面台１３としては幅が６００(ｍｍ)のものしか置けなかった。
【００３３】
これに対して本実施形態では、間柱を用いずに、前述したように浴室ユニットの一部として間仕切り壁２０を構成することで、間仕切り壁２０を、ドア枠８における洗面室２側の端縁から、枠部材４１〜４４、２２〜２３の厚さよりも浴室壁パネル１１側に離間して位置させることができ、本実施形態では浴室壁パネル１１表面と間仕切り壁２０表面との距離は５０（ｍｍ）程度としており、その分、洗面室２の有効空間を広くできる。
【００３４】
第１の比較例１と同様に、３／４坪の洗面室において、長辺側に、本実施形態に係る間仕切り壁２０を設けた場合、図１に表すように、短辺側の長さ(間仕切り壁２０と、これに対向する洗面室の建築壁１０５との間の距離)としては、第１の比較例よりも１００(ｍｍ)ほど長い１３２０(ｍｍ)を確保できる。したがって、短辺側に沿って、洗濯機１４と洗面台１３とを並べて配置する場合には、第１の比較例よりも幅が長い７００(ｍｍ)の幅の洗面台１３を設置することができ、例えば洗面台１３の使用者がひじを広げる余裕が生じ窮屈感なく洗顔や洗髪を行え、使用勝手が向上し、また洗面台１３におけるボールの幅も広くできるので、湯水のボール外への飛び散りも抑えることが可能になる。
【００３５】
なお、洗面室２における広さが拡大した空間を、より幅広の洗面台を設置することに利用することに限らず、より幅が大きな（大容量）の洗濯機の設置に利用してもよいし、あるいは、洗面台や洗濯機の設置スペース以外に、例えば収納スペースとして有効利用を図ってもよい。
【００３６】
図１０は、第２の比較例における浴室と洗面室との間の間仕切り壁構造を表す模式平面図である。
【００３７】
この第２の比較例では、ドア枠８の隣における浴室と洗面室との境界に、ガラス材からなる固定窓８１を設けることによって、浴室と洗面室とが仕切られている。この構造によれば、浴室と洗面室との境界に間柱が設けられていないため、図９に表す第１の比較例に比べて間仕切り部分の厚みを薄くすることができるが、固定窓８１におけるドア枠８に対する反対側の側端部と、建築壁１５との間に、額縁の縦枠１１０などが存在し、その縦枠１１０はドア枠８よりも洗面室２側に出っ張っているため(いわゆる出隅が生じ)、洗面台１３や洗濯機などを固定窓８１に寄せて置くことができない。すなわち、固定窓８１と、縦枠１１０との間の空間を有効利用することができずデッドスペースとなってしまう。
【００３８】
本実施形態では、間仕切り壁２０における洗面室２側に臨む（面する）面は、ドア枠９ａに隣接する一方の側端部から、建築壁１５に当接する他方の側端部にかけて略面一であり、その面はすべて、ドア枠８における洗面室２側の端縁から、枠部材４１〜４４、２２〜２３の厚さよりも浴室壁パネル１１側に離間して位置している。すなわち、図３に表すように、間仕切り壁２０と建築壁１５とのコーナー部に、間仕切り壁２０の表面よりも洗面室側に出っ張った部分がない。このため、洗面室２に設置する例えば洗面台１３を、図１に表すように間仕切り壁２０に寄せて置くことができ、間仕切り壁付近の空間をデッドスペースとすることなく有効利用できる。
【００３９】
図１２は、前述した第２の比較例における固定窓８１下端と、洗面室２の床６０との位置関係を表す模式図である。
【００４０】
例えば、マンションなどにおいて、洗い場床５の床面高さと、洗面室(脱衣室)の床６０の床面高さとを同一高さに合わせられない場合には、洗面室の床３０の上に、洗い場床５と同高さとなるように額縁または幕板８２を設け、その額縁または幕板８２と、洗い場床５との間にかけわたされた支持部材８３上に固定窓８１を支持させる構造が採用される。この場合、洗面室の床６０における固定窓８１付近に大きな段差が生じてしまい、間仕切りとして機能する固定窓８１側に、洗面台や洗濯機などを寄せて置くことができず、固定窓８１付近の空間がデッドスペースとなっていた。
【００４１】
図１１は、本発明の実施形態における間仕切り壁２０下端と、洗面室の床６０との取付構造を表す模式図である。
【００４２】
本実施形態では、間仕切り壁２０の下端(パネル体２１の下端を支持する下枠２３の下端)は、洗面室の床６０の床面と略同じ高さに位置するため、洗い場床５の床面高さと、洗面室の床６０の床面高さとが合わせられない場合であっても、間仕切り壁２０付近に、洗面台や洗濯機などを寄せ置くための障害物が存在せず、洗面台や洗濯機を間仕切り壁２０に寄せて設置することができ、間仕切り壁２０付近の空間を有効利用することができる。
【００４３】
また、本実施形態では、パネル体２１の四辺の縁部が、枠部材(押し縁４１、４２、４３、４４、上枠２２、下枠２３)によって覆い隠されるため、パネル体２１縁部の見切りがすっきりし、見栄えを損ねない。
【００４４】
また、本実施形態では、浴室ユニットの組み立て時に、浴室ユニットの一部材であるドア枠やジョイナーに対して、枠部材を取り付けるための取付部材、枠部材、パネル体などを取り付けていくことで間仕切り壁２０が設置される。すなわち、間仕切り壁２０の設置を、浴室ユニットの組み立て工程の一部として行っていくので、位置決めを含む間仕切り壁２０の組み立て設置が簡単に行える。間仕切り壁２０の設置は、浴室ユニットの工事でほぼ完結し、浴室ユニットの工事後は、一般的な建築工事(額縁、上壁仕上げ等)のみである。したがって、本実施形態によれば、間仕切り壁２０の設置にあたって、建築工事に頼る部分を極力減らし、仕上がりの均一化を図ることができる。
【００４５】
以上、具体例を参照しつつ本発明の実施形態について説明した。しかし、本発明は、それらに限定されるものではなく、本発明の技術的思想に基づいて種々の変形が可能である。
【００４６】
高さ方向のすべてにわたって間仕切り壁を設けることに限らず、例えば、図６に表すように、ドア枠９ａと建築壁１５との間における上部に開閉自在なキャビネット７０を設け、そのキャビネット７０の下方に間仕切り壁７５を設けてもよい。図６において、キャビネット７０は、洗面室側の扉が閉じられた状態が図示されている。また、キャビネット７０において、浴室側にも扉を設け、洗面室と浴室の両室から収納物の出し入れができるようにしてもよい。
【００４７】
間仕切り壁７５は、前述した間仕切り壁２０と同様に構成され、間仕切り壁７５における洗面室側に臨む面は、ドア枠９ａに隣接する一方の側端部から、建築壁１５に当接する他方の側端部にかけて略面一であり、その面はすべて、ドア枠９ａにおける洗面室側の端縁から、パネル体の縁部を支持する枠部材の厚さよりも浴室側に離間して位置している。間仕切り壁７５におけるパネル体２１の上端部は、図８に表すように、キャビネット７０の下面に設けられた枠部材７１に挿入支持されている。
【００４８】
また、図７に表すように、ドア枠９ａと建築壁１５との間における上部に固定窓８０を設け、その固定窓８０の下方に間仕切り壁８５を設けてもよい。
【００４９】
間仕切り壁８５についても、洗面室側に臨む面は、ドア枠９ａに隣接する一方の側端部から、建築壁１５に当接する他方の側端部にかけて略面一であり、その面はすべて、ドア枠９ａにおける洗面室側の端縁から、パネル体の縁部を支持する枠部材の厚さよりも浴室側に離間して位置している。
【００５０】
間仕切り部分の上部にキャビネット７０や固定窓８０が設けられていても、その下の間仕切り壁７５、８５の隣に、間仕切り壁７５、８５に寄せて洗面台や洗濯機を置くことができる。
【００５１】
間仕切り壁におけるパネル体は１枚だけから構成してもよいし、複数枚を組み合わせてもよい。
【００５２】
図２に表した押し縁４１、４２はジョイナー３８に直接固定させてもよく、同様に、図３に表した押し縁４３、４４はコーナージョイナー４８に直接固定させてもよい。
【００５３】
パネル体２１の縁部は、断面コ字状の枠部材内部に挿入支持させる構造に限らず、パネル体２１縁部を、枠部材表面にネジ止めする等の構造でもよい。
【００５４】
図２に表す、縦枠３１、方立てカバー３５、結合部材３９などは別体で構成することに限らず、これらが一体構造のドア枠９ａであってもよい。なお、縦枠３１やジョイナー３８は、従来広く採用された構成であり、よって、縦枠３１に対して方立てカバー３５を別体で構成した場合には、既存の浴室ユニットにおける縦枠３１に対して、方立てカバー３５や押し縁４１、４２、パネル体２１などを追加して取り付けるだけの簡単な作業にて本発明の間仕切り壁を得ることができる。
【図面の簡単な説明】
【００５５】
【図１】本発明の実施形態に係る浴室ユニットおよびこの浴室ユニットの隣室である例えば脱衣室を兼ねた洗面室の配置を表す模式平面図である。
【図２】図１に表す出入口と間仕切り壁との間に立設されたドア枠に対する浴室壁パネル及び間仕切り壁の一方の側端部の取り付け構造を表す模式斜視図である。
【図３】図１に表す建築壁に対する間仕切り壁の他方の側端部の当接構造を表す模式斜視図である。
【図４】本発明の実施形態に係る浴室ユニットにおける間仕切り壁の上端部の支持構造を表す模式斜視図である。
【図５】本発明の実施形態に係る浴室ユニットにおける間仕切り壁の下端部の支持構造を表す模式斜視図である。
【図６】本発明の他の実施形態に係る浴室ユニットにおける間仕切り壁設置部分を洗面室側から見た模式斜視図である。
【図７】本発明のさらに他の実施形態に係る浴室ユニットにおける間仕切り壁設置部分を洗面室側から見た模式斜視図である。
【図８】図６に表すキャビネット下端部と、間仕切り壁との取り付け構造を表す模式斜視図である。
【図９】第１の比較例における浴室と洗面室との間の間仕切り壁構造を表す模式平面図である。
【図１０】第２の比較例における浴室と洗面室との間の間仕切り壁構造を表す模式平面図である。
【図１１】本発明の実施形態に係る浴室ユニットにおける間仕切り壁と、洗面室の床との取付構造を表す模式図である。
【図１２】図１０に表す第２の比較例における固定窓下端と、洗面室の床との位置関係を表す模式図である。
【符号の説明】
【００５６】
１…浴室ユニット、２…隣室、４…浴槽、５…洗い場(床)、６…出入口、７…ドア、８…ドア枠、１１…浴室壁パネル、１３…洗面台、１５…建築壁、２０…間仕切り壁、２１…パネル体
【図１】
2008127924.tif 000003
【図２】
2008127924.tif 000004
【図３】
2008127924.tif 000005
【図４】
2008127924.tif 000006
【図５】
2008127924.tif 000007
【図６】
2008127924.tif 000008
【図７】
2008127924.tif 000009
【図８】
2008127924.tif 000010
【図９】
2008127924.tif 000011
【図１０】
2008127924.tif 000012
【図１１】
2008127924.tif 000013
【図１２】
2008127924.tif 000014